(57)【特許請求の範囲】
【請求項１】
複数の移動可能な床ユニットを床面に並置して、床面よりも高い可動床部を設け、前記各床ユニットのユニット本体の側面に、通気口を形成して、複数の床ユニットをそれぞれの通気口を合わせるようにして並置することで、これら床ユニットのユニット本体内部に跨る通気路を形成するとともに、空調機を内装した固定床部を設け、この空調機からの暖気を前記通気路に送り込むようにしたことを特徴とする住宅の床構造。
【請求項２】
前記固定床部は、可動床部の高さとほぼ同じ高さとした請求項１記載の住宅の床構造。
【発明の詳細な説明】
【０００１】
【発明の属する技術分野】
この発明は、住宅の床構造に関する。
【０００２】
【従来の技術】
住宅のリビング室等において、床面に段差を設けていることがある。このように、床面に段差を設けることによって、室内にアクセントを持たせることができる。
【０００３】
【発明が解決しようとする課題】
ところが、床面に段差を設けた場合、その位置は固定されていて、大掛かりなリフォーム等を行わなければ変更することができない。このため、室内にアクセントを持たせることはできても、室内の空間変化を気軽に楽しむことができず、使用方法や使用形態も限定されてしまっていた。
【０００４】
そこで、この発明は、上記の不具合を解消して、可動床部を設けることで、室内にアクセントを持たせるだけでなく、室内の空間変化を気軽に楽しむことができ、様々な使用方法や使用形態を実現することができる床構造の提供を目的とする。
【０００５】
【課題を解決するための手段】
上記の課題を解決するため、この発明の床構造は、複数の移動可能な床ユニットを床面に並置して、床面よりも高い可動床部を設け、前記各床ユニットのユニット本体の側面に、通気口を形成して、複数の床ユニットをそれぞれの通気口を合わせるようにして並置することで、これら床ユニットのユニット本体内部に跨る通気路を形成するとともに、空調機を内装した固定床部を設け、この空調機からの暖気を前記通気路に送り込むようにしたことを特徴とする。
【０００６】
また、前記固定床部は、可動床部の高さとほぼ同じ高さとしている。
【０００９】
【発明の実施の形態】
以下、この発明の実施形態を図面に基づいて詳細に説明する。この発明の一実施形態に係る床構造は、図１乃至図３に示すように、複数の移動可能な床ユニット(１)(１)…を床面(２)に並置して、床面(２)よりも高い床面(３)を有する可動床部(４)を設けるようにしている。さらに、この可動床部(４)の床面(３)の高さとほぼ同じ高さの床面(５)を有する固定床部(６)を設けている。
【００１０】
床ユニット(１)は、図４乃至図６に示すように、中空箱形のユニット本体(10)と、このユニット本体(10)の上部に設けた床面材(11)と、ユニット本体(10)の下部に内装した複数のキャスター(12)(12)…とを備えている。
【００１１】
ユニット本体(10)は、４枚の側板(15)(15)…を角筒状に組み合わせてなり、その上部には、上枠材(16)が取り付けられ、内部には、中枠材(17)が取り付けられている。また、各側板(15)(15)…には、ユニット本体(10)の内部に空気を導くための通気口(20)(20)…が夫々形成されている。なお、通気口(20)(20)…は、必ずしも４枚の側板(15)(15)…すべてに形成する必要はなく、３枚の側板(15)(15)…或いは２枚の側板(15)(15)に形成した床ユニット(１)も用意されている。
【００１２】
床面材(11)としては、畳材が使用されている。そして、この床面材(11)は、上枠材(16)に取外し可能に取り付けられている。このため、床面材(11)を蓋として機能させて、床ユニット(１)を収納具として利用可能となっている。なお、床面材としては、畳材に限らず、例えばクッションフロアや床板材を使用しても良い。
【００１３】
キャスター(12)(12)…は、ユニット本体(10)の互いに対向する左右の側板(15)(15)に沿って４個ずつ配置されており、上下動機構(25)を介して中枠材(17)に換向可能に取り付けられている。なお、上下動機構(25)は、図示しない治具等を挿入口(26)へ差し込んで作動させることで、キャスター(12)(12)…をユニット本体(10)内に収めた固定姿勢と、ユニット本体(10)の下部から突出させた走行姿勢との間で切り換えるようになっている。
【００１４】
この床ユニット(１)は、平面視略正方形で、全体的に略直方体状に形成されており、その縦横の長さが約６０ｃｍ、高さが約４０ｃｍとされている。なお、床ユニット(１)の形状や大きさは、上記に限定されるものではない。
【００１５】
そして、このように構成された複数の床ユニット(１)(１)…を、例えば図１乃至図３に示すように、室内の中央部に平面視略長方形状に並置して可動床部(４)を構成している。
【００１６】
この配置状態において、可動床部(４)の床面(３)と固定床部(６)の床面(５)とがぼぼ面一に連続しており、可動床部(４)の床面(３)と床面(２)との間には段差が形成されている。なお、固定床部(６)は、床面(２)上に設けた図示しない複数の束に横架材(30)(30)…を差し渡して、これら横架材(30)(30)…に床面材(31)を取り付けてなる。
【００１７】
また、床ユニット(１)(１)…を配置する際に、それらの通気口(20)(20)…を互いに合わせることで、これら床ユニット(１)(１)…のユニット本体(10)(10)…の内部に跨る通気路が形成される。そして、固定床部(６)に暖房機(40)を内装して、この暖房機(40)からの暖気を通気路に送り込むことで、固定床部(６)だけでなく可動床部(４)も暖めて、これら固定床部(６)及び可動床部(４)に床暖房機能を持たせるようにしている。
【００１８】
なお、床ユニット(１)(１)…のユニット本体(10)(10)…の外側面に、通気口(20)(20)…に連通する通気用のスリット等を適宜形成して、通気路を通過する暖気の一部を、スリット等を介して床ユニット(１)(１)…の床面材(11)(11)…間の隙間から上方へ放出させるようにしても良い。
【００１９】
図７及び図９は、床ユニット(１)(１)…のその他の配置例を示している。図７に示す配置状態においては、中央に開口部(45)を設けるようにして床ユニット(１)(１)…を並べている。この開口部(45)へは、図８に示すように、床ユニット(１)(１)…の通気口(20)(20)…から暖気が流れ込むようになっており、従って開口部(45)を覆うようにテーブル(46)等を設置して、掘りごたつとして利用することができる。
【００２０】
図９に示す配置状態においては、床ユニット(１)(１)…を日の良く当たる南側の窓付近に集めて並べている。この場合、特に冬場等において可動床部(４)を効果的に暖めることができ、暖房費を節約することができる。この他にも、床ユニット(１)(１)…の配置を工夫することで、上記以外の様々な使用方法や使用形態を実現することができる。
【００２１】
なお、この発明は、上記実施形態に限定されるものではなく、この発明の範囲内で上記実施形態に多くの修正及び変更を加え得ることは勿論である。
【００２２】
【発明の効果】
以上の説明から明らかなように、この発明によれば、可動床部を設けることによって床面に段差を形成しているので、室内にアクセントを持たせるでけでなく、床ユニットを移動させるだけで、可動床部の場所や形状を簡単に変えて、その室内の空間変化を気軽に楽しむことができる。しかも、様々な使用方法や使用形態を実現できることから、季節や使用者の人数、使用者のニーズ等の変化に対しても柔軟に対応することができ、使用性の向上を図ることができる。
【００２３】
また、床ユニットのユニット本体内部に跨る通気路を形成して、この通気路へ暖気を送り込むようにしていることから、可動床部に床暖房機能を付加して、その機能性を向上することができる。
【図面の簡単な説明】
【図１】この発明の一実施形態に係る床構造を示す一部破断斜視図である。
【図２】同じくその平面図である。
【図３】同じくその概略側断面図である。
【図４】床ユニットの斜視図である。
【図５】床ユニットの縦断面図である。
【図６】床ユニットの縦断面図である。
【図７】床ユニットのその他の配置例を示す平面図である。
【図８】堀ごたつ部分の縦断面図である。
【図９】床ユニットのその他の配置例を示す平面図である。
【符号の説明】
(１)  床ユニット
(４)  可動床部
(６)  固定床部
(10)  ユニット本体
(11)  床面材
(12)  キャスター
(20)  通気口
(40)  暖房機(空調機)
【図１】
0003935327.tif 000002
【図２】
0003935327.tif 000003
【図３】
0003935327.tif 000004
【図４】
0003935327.tif 000005
【図５】
0003935327.tif 000006
【図６】
0003935327.tif 000007
【図７】
0003935327.tif 000008
【図８】
0003935327.tif 000009
【図９】
0003935327.tif 000010